(57)【要約】      （修正有）【課題】バッテリーをそれぞれ備えた複数のスピーカーを用いて音声を再生する場合に、音声再生時間を長くする。【解決手段】ＡＶセンター２のマイクロコンピューター２１は、無線モジュール２５を介して、複数のスピーカー３〜９に音声信号を送信する。スピーカー３〜９のマイクロコンピューター３１〜９１は、無線モジュール３２〜９２を介して、音声信号を受信する。マイクロコンピューター２１は、複数のスピーカー３〜９がそれぞれ備えるバッテリー３５〜９５の残量に応じて、複数のスピーカー３５〜９５の再生態様を変更する。【選択図】図１
2018007191.tif 000002
【特許請求の範囲】
【請求項１】
第１無線通信部と、
第１制御部と、を備える音声再生装置と、
バッテリーと、
第２無線通信部と、
第２制御部と、をそれぞれ備える複数のスピーカーと、を備え、
前記第１制御部は、前記第１無線通信部を介して、前記複数のスピーカーに音声信号を送信し、
前記第２制御部は、前記第２無線通信部を介して、前記音声信号を受信し、
前記第１制御部は、前記複数のスピーカーがそれぞれ備える前記バッテリーの残量に応じて、前記複数のスピーカーの再生態様を変更することを特徴とする音声再生システム。
【請求項２】
前記第１制御部は、前記複数のスピーカーがそれぞれ備える前記バッテリーの残量に応じて、前記複数のスピーカーの音量を調整することを特徴とする請求項１に記載の音声再生システム。
【請求項３】
前記第１制御部は、バッテリー残量の少ないスピーカーの音量を小さくし、音量を小さくしたスピーカーに隣接するスピーカーに、出力を分配することを特徴とする請求項２に記載の音声再生システム。
【請求項４】
前記第１制御部は、前記複数のスピーカーがそれぞれ備える前記バッテリーの残量に応じて、前記音声信号を送信するスピーカーを変更することを特徴とする請求項１に記載の音声再生システム。
【請求項５】
前記第１制御部は、
前記複数のスピーカーがそれぞれ備える前記バッテリーの残量に応じて、前記音声信号を送信するスピーカーを変更するか否かの設定を受け付け、
前記複数のスピーカーがそれぞれ備える前記バッテリーの残量に応じて、前記音声信号を送信するスピーカーを変更する設定を受け付けた場合に、前記複数のスピーカーがそれぞれ備える前記バッテリーの残量に応じて、前記音声信号を送信するスピーカーを変更することを特徴とする請求項４に記載の音楽再生システム。
【請求項６】
前記第２制御部は、前記第２無線通信部を介して、前記音声再生装置に前記バッテリーの残量値を送信し、
前記第１制御部は、前記第１無線通信部を介して、前記バッテリーの残量値を受信することを特徴とする請求項１〜５のいずれか１項に記載の音声再生システム。
【請求項７】
前記複数のスピーカーは、それぞれ、２チャンネルの前記音声信号を再生可能な２つのスピーカーであり、
前記第１制御部は、
前記第１無線通信部を介して、前記２つのスピーカーの一方にレフトチャンネルの前記音声信号を送信し、前記２つのスピーカーの他方にライトチャンネルの前記音声信号を送信しているときに、前記２つのスピーカーの一方が備える前記バッテリーの残量が所定値以下になった場合に、前記２つのスピーカーの他方に前記レフトチャンネル、及び、前記ライトチャンネルの前記音声信号を送信することを特徴とする請求項１に記載の音声再生システム。
【請求項８】
前記複数のスピーカーは、それぞれ、２チャンネルの前記音声信号を再生可能な２つのスピーカーであり、
前記第１制御部は、前記第１無線通信部を介して、前記２つのスピーカーの一方にレフトチャンネル、及び、ライトチャンネルの前記音声信号を送信し、
前記２つのスピーカーの一方の前記第２制御部は、前記第２無線通信部を介して、前記レフトチャンネル、及び、前記ライトチャンネルの前記音声信号を受信し、前記２つのスピーカーの他方に前記レフトチャンネル、又は、前記ライトチャンネルの前記音声信号を送信し、
前記２つのスピーカーの他方の前記第２制御部は、前記第２無線通信部を介して、前記レフトチャンネル、又は、前記ライトチャンネルの前記音声信号を受信し、
前記２つのスピーカーの一方の前記第２制御部は、前記第２無線通信部を介して、前記レフトチャンネル、及び、前記ライトチャンネルの前記音声信号を受信しているときに、前記２つのスピーカーの他方が備える前記バッテリーの残量が所定値以下になった場合に、前記２つのスピーカーの他方への前記レフトチャンネル、又は、前記ライトチャンネルの前記音声信号の送信を終了し、
前記第１制御部は、前記第１無線通信部を介して、前記２つのスピーカーの一方に前記レフトチャンネル、及び、前記ライトチャンネルの前記音声信号を送信しているときに、前記２つのスピーカーの一方が備える前記バッテリーの残量が所定値以下になった場合に、前記２つのスピーカーの他方に前記レフトチャンネル、及び、前記ライトチャンネルの前記音声信号を送信し、
前記２つのスピーカーの他方の前記第２制御部は、前記第２無線通信部を介して、前記レフトチャンネル、及び、前記ライトチャンネルの前記音声信号を受信することを特徴とする請求項１に記載の音声再生システム。
【請求項９】
請求項１〜８のいずれか１項に記載の音声再生システムが備える音声再生装置。
【請求項１０】
請求項１〜８のいずれか１項に記載の音声再生システムが備えるスピーカー。
【発明の詳細な説明】
【技術分野】
【０００１】
本発明は、音声再生装置と、複数のスピーカーと、が無線で通信する音声再生システムに関する。
【背景技術】
【０００２】
近年、無線技術の発達により、音声信号を無線で受信するスピーカーが広く普及し始めている（例えば、特許文献１参照。）。スピーカーは、受信した音声信号を増幅して出力する。このようなアクティブスピーカーにおいて、バッテリーを搭載することで、電源コードが不要となり、完全にワイヤレスで動作するものもある。
【先行技術文献】
【特許文献】
【０００３】
【特許文献１】特開２０１０−２５２１３４号公報
【発明の概要】
【発明が解決しようとする課題】
【０００４】
ホームシアター用途で考えると、同時使用のスピーカーは、複数（例えば、５．１ｃｈ）になる。ここで、それぞれのスピーカーに搭載されているバッテリーの残量は、出力しているパワー等により、同じように減っていくとは限らない。出力信号が偏れば、例えば、特定のスピーカーのバッテリーのみがなくなり、結果として、適切な再生を継続できる時間が減ってしまう。
【０００５】
本発明の目的は、バッテリーをそれぞれ備えた複数のスピーカーを用いて音声を再生する場合に、音声再生時間を長くすることである。
【課題を解決するための手段】
【０００６】
第１の発明の音声再生システムは、第１無線通信部と、第１制御部と、を備える音声再生装置と、バッテリーと、第２無線通信部と、第２制御部と、をそれぞれ備える複数のスピーカーと、を備え、前記第１制御部は、前記第１無線通信部を介して、前記複数のスピーカーに音声信号を送信し、前記第２制御部は、前記第２無線通信部を介して、前記音声信号を受信し、前記第１制御部は、前記複数のスピーカーがそれぞれ備える前記バッテリーの残量に応じて、前記複数のスピーカーの再生態様を変更することを特徴とする。
【０００７】
本発明では、第１制御部は、複数のスピーカーがそれぞれ備えるバッテリーの残量に応じて、複数のスピーカーの再生態様を変更する。例えば、第１制御部は、複数のスピーカーがそれぞれ備えるバッテリーの残量に応じて、複数のスピーカーの音量を調整する。例えば、第１制御部は、バッテリー残量の少ないスピーカーの音量を小さくする。また、第１制御部は、音量を小さくしたスピーカーに隣接するスピーカーに、出力を分配する。これにより、残量の少ないスピーカーの音声再生時間が延びるため、スピーカーによる音声再生時間が長くなる。
【０００８】
第２の発明の音声再生システムは、第１の発明の音声再生システムにおいて、前記第１制御部は、前記複数のスピーカーがそれぞれ備える前記バッテリーの残量に応じて、前記複数のスピーカーの音量を調整することを特徴とする。
【０００９】
第３の発明の音声再生システムは、第２の発明の音声再生システムにおいて、前記第１制御部は、バッテリー残量の少ないスピーカーの音量を小さくし、音量を小さくしたスピーカーに隣接するスピーカーに、出力を分配することを特徴とする。
【００１０】
第４の発明の音声再生システムは、第１の発明の音声再生システムにおいて、前記第１制御部は、前記複数のスピーカーがそれぞれ備える前記バッテリーの残量に応じて、前記音声信号を送信するスピーカーを変更することを特徴とする。
【００１１】
本発明では、第１制御部は、複数のスピーカーがそれぞれ備えるバッテリーの残量に応じて、音声信号を送信するスピーカーを変更する。言い換えれば、第１制御部は、複数のスピーカーがそれぞれ備えるバッテリーの残量に応じて、スピーカーコンフィグレーションを変更する。例えば、第１制御部は、スピーカーコンフィグレーションを７チャンネルから、バッテリー残量の少ないスピーカーを含まない５チャンネルに変更する。これにより、バッテリー残量があるスピーカーのみを使用することで、スピーカーによる音声再生時間が長くなる。
【００１２】
第５の発明の音声再生システムは、第４の発明の音声再生システムにおいて、前記第１制御部は、前記複数のスピーカーがそれぞれ備える前記バッテリーの残量に応じて、前記音声信号を送信するスピーカーを変更するか否かの設定を受け付け、前記複数のスピーカーがそれぞれ備える前記バッテリーの残量に応じて、前記音声信号を送信するスピーカーを変更する設定を受け付けた場合に、前記複数のスピーカーがそれぞれ備える前記バッテリーの残量に応じて、前記音声信号を送信するスピーカーを変更することを特徴とする。
【００１３】
本発明では、第１制御部は、複数のスピーカーがそれぞれ備えるバッテリーの残量に応じて、音声信号を送信するスピーカーを変更するか否かの設定を受け付ける。これにより、ユーザーは、スピーカーコンフィグレーションが自動的に変更されるか否かを選択することができる。
【００１４】
第６の発明の音声再生システムは、第１〜第５のいずれかの発明の音声再生システムにおいて、前記第２制御部は、前記第２無線通信部を介して、前記音声再生装置に前記バッテリーの残量値を送信し、前記第１制御部は、前記第１無線通信部を介して、前記バッテリーの残量値を受信することを特徴とする。
【００１５】
第７の発明の音声再生システムは、第１の発明の音声再生システムにおいて、前記複数のスピーカーは、それぞれ、２チャンネルの前記音声信号を再生可能な２つのスピーカーであり、前記第１制御部は、前記第１無線通信部を介して、前記２つのスピーカーの一方にレフトチャンネルの前記音声信号を送信し、前記２つのスピーカーの他方にライトチャンネルの前記音声信号を送信しているときに、前記２つのスピーカーの一方が備える前記バッテリーの残量が所定値以下になった場合に、前記２つのスピーカーの他方に前記レフトチャンネル、及び、前記ライトチャンネルの前記音声信号を送信することを特徴とする。
【００１６】
本発明では、第１制御部は、第１無線通信部を介して、２つのスピーカーの一方にレフトチャンネルの音声信号を送信し、２つのスピーカーの他方にライトチャンネルの音声信号を送信しているときに、２つのスピーカーの一方が備えるバッテリーの残量が所定値以下になった場合に、２つのスピーカーの他方にレフトチャンネル、及び、ライトチャンネルの音声信号を送信する。これにより、１つのスピーカーで２チャンネルの音声再生を継続することができる。
【００１７】
第８の発明の音声再生システムは、第１の発明の音声再生システムにおいて、前記複数のスピーカーは、それぞれ、２チャンネルの前記音声信号を再生可能な２つのスピーカーであり、前記第１制御部は、前記第１無線通信部を介して、前記２つのスピーカーの一方にレフトチャンネル、及び、ライトチャンネルの前記音声信号を送信し、前記２つのスピーカーの一方の前記第２制御部は、前記第２無線通信部を介して、前記レフトチャンネル、及び、前記ライトチャンネルの前記音声信号を受信し、前記２つのスピーカーの他方に前記レフトチャンネル、又は、前記ライトチャンネルの前記音声信号を送信し、前記２つのスピーカーの他方の前記第２制御部は、前記第２無線通信部を介して、前記レフトチャンネル、又は、前記ライトチャンネルの前記音声信号を受信し、前記２つのスピーカーの一方の前記第２制御部は、前記第２無線通信部を介して、前記レフトチャンネル、及び、前記ライトチャンネルの前記音声信号を受信しているときに、前記２つのスピーカーの他方が備える前記バッテリーの残量が所定値以下になった場合に、前記２つのスピーカーの他方への前記レフトチャンネル、又は、前記ライトチャンネルの前記音声信号の送信を終了し、前記第１制御部は、前記第１無線通信部を介して、前記２つのスピーカーの一方に前記レフトチャンネル、及び、前記ライトチャンネルの前記音声信号を送信しているときに、前記２つのスピーカーの一方が備える前記バッテリーの残量が所定値以下になった場合に、前記２つのスピーカーの他方に前記レフトチャンネル、及び、前記ライトチャンネルの前記音声信号を送信し、前記２つのスピーカーの他方の前記第２制御部は、前記第２無線通信部を介して、前記レフトチャンネル、及び、前記ライトチャンネルの前記音声信号を受信することを特徴とする。
【００１８】
第９の発明の音声再生装置は、第１〜第８のいずれかの発明の音声再生システムが備える音声再生装置である。
【００１９】
第１０の発明のスピーカーは、第１〜第８のいずれかの発明の音声再生システムが備えるスピーカーである。
【発明の効果】
【００２０】
本発明によれば、スピーカーによる音声再生時間が長くなる。
【図面の簡単な説明】
【００２１】
【図１】本発明の実施形態に係る音声再生システムの構成を示すブロック図である。
【図２】複数のスピーカーの再生態様の変更の例を示す図である。
【図３】複数のスピーカーの再生態様の変更の例を示す図である。
【図４】音声を再生しているときの音声再生システムの処理動作を示すフローチャートである。
【図５】変形例を示す図である。
【発明を実施するための形態】
【００２２】
以下、本発明の実施形態について説明する。図１は、本発明の実施形態に係る音声再生システム１の構成を示すブロック図である。音声再生システム１は、ＡＶセンター２と、複数のスピーカー３〜９と、を備える。ＡＶセンター２には、ソース機器として、例えば、ＢＤ（Blu-ray（登録商標） Disc）プレーヤーが接続されている。ＡＶセンター２は、ＢＤプレーヤーから送信される音声信号を受信し、受信した音声信号を複数のスピーカー３〜９に無線送信する。複数のスピーカー３〜９は、それぞれ、ＡＶセンター２から無線送信された音声信号を受信し、音声を再生する。
【００２３】
（ＡＶセンター）
ＡＶセンター２（音声再生装置）は、マイクロコンピューター２１、表示部２２、操作部２３、ＤＳＰ２４、無線モジュール２５を備える。マイクロコンピューター２１（第１制御部）は、ＡＶセンター２を構成する各部を制御する。表示部２２は、設定画面、音量レベルなどを表示するものである。表示部２２は、ＬＣＤ（液晶ディスプレイ）や蛍光表示管等から構成されている。操作部２３は、ユーザー操作を受け付けるためのものである。操作部２３は、ＡＶセンター２の筐体に設けられた操作ボタン、リモートコントローラーにより構成されている。
【００２４】
ＤＳＰ（Digital Signal Processor）２４は、デジタル信号処理を行うものである。無線モジュール２５（第１無線通信部）は、Ｂｌｕｅｔｏｏｔｈ（登録商標）規格、Ｗｉ−Ｆｉ規格に従った無線通信を行うためのものである。ＡＶセンター２は、無線モジュール２５を介して、複数のスピーカー３〜９と無線通信を行う。マイクロコンピューター２１は、無線モジュール２５を介して、複数のスピーカー３〜９にデジタル音声信号を送信する。
【００２５】
（スピーカー）
スピーカー３〜９は、フロントレフトスピーカー３、フロントライトスピーカー４、センタースピーカー５、サラウンドレフトスピーカー６、サラウンドライトスピーカー７、サラウンドバックレフトスピーカー８、サラウンドバックライトスピーカー９から構成されている。スピーカー３〜９は、同じ構成を有するため、フロントレフトスピーカー３について説明する。
【００２６】
フロントレフトスピーカー３は、マイクロコンピューター３１、無線モジュール３２、Ｄ／Ａコンバーター（以下、「ＤＡＣ」という。）３３、増幅回路３４、バッテリー３５を備える。マイクロコンピューター３１（第２制御部）は、フロントレフトスピーカー３を構成する各部を制御する。無線モジュール３２（第２無線通信部）は、Ｂｌｕｅｔｏｏｔｈ（登録商標）規格、Ｗｉ−Ｆｉ規格に従った無線通信を行うためのものである。フロントレフトスピーカー３は、無線モジュール３２を介して、ＡＶセンター２と無線通信を行う。マイクロコンピューター３１は、無線モジュール３２を介して、ＡＶセンター２から送信されるデジタル音声信号を受信する。ＤＡＣ３３は、受信したデジタル音声信号をアナログ音声信号に変換する。増幅回路３４は、ＤＡＣ３３が変換したアナログ音声信号を増幅する。増幅回路３４により増幅されたアナログ音声信号は、スピーカーユニットにより外部に音声出力される。バッテリー３５は、フロントレフトスピーカー３を構成する各部に電源電圧を供給するためのものである。
【００２７】
複数のスピーカー３〜９のマイクロコンピューター３１〜９１は、それぞれ、バッテリー３５〜９５の残量値を、無線モジュール３２〜９２を介して、ＡＶセンター２に送信する。ＡＶセンター２のマイクロコンピューター２１は、無線モジュール２５を介して、複数のスピーカー３〜９が送信したバッテリー３５〜９５の残量値を受信する。このようにして、マイクロコンピューター２１は、バッテリー３５〜９５の残量を監視している。そして、マイクロコンピューター２１は、複数のスピーカー３〜９が備えるバッテリー３５〜９５の残量に応じて、複数のスピーカー３〜９の再生態様を変更する。
【００２８】
具体的には、マイクロコンピューター２１は、複数のスピーカー３〜９が備えるバッテリー３５〜９５の残量に応じて、複数のスピーカー３〜９の音量を調整する。例えば、センタースピーカー５のバッテリー５５の残量が所定値よりも低下していたとする。このとき、マイクロコンピューター２１は、センタースピーカー５に隣接するフロントレフトスピーカー３が備えるバッテリー３５、フロントライトスピーカー４が備えるバッテリー４５の残量に余裕があるか否かを判断する。マイクロコンピューター２１は、センタースピーカー５に隣接するフロントレフトスピーカー３が備えるバッテリー３５、フロントライトスピーカー４が備えるバッテリー４５の残量に余裕があると判断した場合、図２に示すように、センタースピーカー５の音量を小さくする。また、マイクロコンピューター２１は、センタースピーカー５に隣接するフロントレフトスピーカー３、フロントライトスピーカー４に、小さくした音量を補う出力を分配する。このとき、マイクロコンピューター２１は、小さくした音量を補う適切な出力をＤＳＰ２４により算出する。
【００２９】
また、マイクロコンピューター２１は、複数のスピーカー３〜９が備えるバッテリー３５〜９５の残量に応じて、音声信号を送信するスピーカー３〜９を変更する。言い換えれば、マイクロコンピューター２１は、複数のスピーカー３〜９がそれぞれ備えるバッテリー３５〜９５の残量に応じて、スピーカーコンフィグレーションを変更する。一般的に、ＡＶレシーバー等におけるチャンネル（ｃｈ）の設定は、以下のようなものがある。
２ｃｈ  レフト（Ｌ）／ライト（Ｒ）
３ｃｈ  Ｌ／Ｒ／センター（Ｃ）
４ｃｈ  Ｌ／Ｒ／サラウンドレフト（ＳＬ）／サラウンドライト（ＳＲ）
５ｃｈ  Ｌ／Ｒ／Ｃ／ＳＬ／ＳＲ
６ｃｈ  Ｌ／Ｒ／Ｃ／ＳＬ／ＳＲ／サラウンドバック（ＳＢ）
７ｃｈ  Ｌ／Ｒ／Ｃ／ＳＬ／ＳＲ／サラウンドバックレフト（ＳＢＬ）／サラウンドバックライト（ＳＢＲ）
【００３０】
例えば、マイクロコンピューター２は、７ｃｈ設定で再生を行っており、サラウンドバックレフトスピーカー８のバッテリー８５の残量が所定値以下になった場合、図３に示すように、スピーカーコンフィグレーションを、７ｃｈから、サラウンドバックレフトスピーカー８を含まない５ｃｈに変更する。ここで、マイクロコンピューター２１は、操作部２３を介して、複数のスピーカー３〜９がそれぞれ備えるバッテリー３５〜９５の残量に応じて、音声信号を送信するスピーカー３〜９を変更するか否かの設定を受け付ける。言い換えれば、マイクロコンピューター２１は、音楽再生システム１がスピーカーコンフィグレーションの変更を自動で実行するか否かの設定を受け付ける。マイクロコンピューター２１は、音楽再生システム１がスピーカーコンフィグレーションの変更を自動で実行する設定を受け付けた場合に、スピーカーコンフィグレーションを変更する。
【００３１】
ここで、７ｃｈ設定で再生を行っていたときに、フロントレフトスピーカー３、又は、フロントライトスピーカー４のバッテリー残量がなくなった場合、設定可能なスピーカーコンフィグレーションがなくなってしまう。そこで、例えば、フロントレフトスピーカー３のバッテリー３５がなくなった場合、マイクロコンピューター２１は、フロントレフトスピーカー３の再生信号を、センタースピーカー５、サラウンドレフトスピーカー６に分配する。例えば、フロントレフトチャンネルの再生レベルの半分をセンターチャンネルに、残りの半分をサラウンドレフトチャンネルに足しこむ。同様に、フロントライトスピーカー４のバッテリー４５がなくなった場合、センタースピーカー５、サラウンドライトスピーカー７を使用する。
【００３２】
以下、音声を再生しているときの音声再生システム１の処理動作を、図４に示すフローチャートに基づいて説明する。まず、マイクロコンピューター２１は、使用しているスピーカーが備えるバッテリーの残量があるか否かを判断する（Ｓ１）。マイクロコンピューター２１は、使用しているスピーカーが備えるバッテリーの残量があると判断した場合（Ｓ１：Ｙｅｓ）、音声再生を継続する（Ｓ２）。マイクロコンピューター２１は、使用しているスピーカーが備えるバッテリーの残量がないと判断した場合（Ｓ１：Ｎｏ）、スピーカーコンフィグレーションを再設定可能であるか否かを判断する（Ｓ３）。マイクロコンピューター２１は、スピーカーコンフィグレーションを再設定可能であると判断した場合（Ｓ３：Ｙｅｓ）、スピーカーコンフィグレーションを再設定する（Ｓ４）。例えば、マイクロコンピューター２１は、スピーカーコンフィグレーションを、７ｃｈから５ｃｈに再設定する。
【００３３】
マイクロコンピューター２１は、スピーカーコンフィグレーションを再設定可能ではないと判断した場合（Ｓ３：Ｎｏ）、残量がないスピーカーに隣接するスピーカーで音声信号を補間可能であるか否かを判断する（Ｓ５）。マイクロコンピューター２１は、残量がないスピーカーに隣接するスピーカーで音声信号を補間可能であると判断した場合（Ｓ５：Ｙｅｓ）、残量がないスピーカーに隣接するスピーカーに音声信号を分配する（Ｓ６）。マイクロコンピューター２１は、残量がないスピーカーに隣接するスピーカーで音声信号を補間可能でないと判断した場合（Ｓ５：Ｎｏ）、音声再生を停止する（Ｓ７）。また、マイクロコンピューター２１は、Ｓ４、又は、Ｓ６の処理の後、Ｓ２の処理を実行する。
【００３４】
以上説明したように、本実施形態では、マイクロコンピューター２１は、複数のスピーカー３〜９がそれぞれ備えるバッテリー３５〜９５の残量に応じて、複数のスピーカー３〜９の再生態様を変更する。例えば、マイクロコンピューター２１は、複数のスピーカー３〜９がそれぞれ備えるバッテリーの残量に応じて、複数のスピーカー３５〜９５の音量を調整する。例えば、マイクロコンピューター２１は、バッテリー残量の少ないスピーカーの音量を小さくする。また、マイクロコンピューター２１は、音量を小さくしたスピーカーに隣接するスピーカーに、出力を分配する。これにより、残量の少ないスピーカーの音声再生時間が延びるため、スピーカーによる音声再生時間が長くなる。
【００３５】
また、本実施形態では、マイクロコンピューター２１は、複数のスピーカー３〜９がそれぞれ備えるバッテリー３５〜９５の残量に応じて、音声信号を送信するスピーカーを変更する。言い換えれば、マイクロコンピューター２１は、複数のスピーカー３〜９がそれぞれ備えるバッテリー３５〜９５の残量に応じて、スピーカーコンフィグレーションを変更する。例えば、マイクロコンピューター２１は、スピーカーコンフィグレーションを７ｃｈから、バッテリー残量の少ないスピーカーを含まない５ｃｈに変更する。これにより、バッテリー残量があるスピーカーのみを使用することで、スピーカーによる音声再生時間が長くなる。
【００３６】
また、本実施形態では、マイクロコンピューター２１は、複数のスピーカー３〜９がそれぞれ備えるバッテリー３５〜９５の残量に応じて、音声信号を送信するスピーカーを変更するか否かの設定を受け付ける。これにより、ユーザーは、スピーカーコンフィグレーションが自動的に変更されるか否かを選択することができる。
【００３７】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３８】
上述の実施形態においては、音声再生システム１が、スピーカーを７つ備える場合について説明したが、スピーカーは、２つ以上の複数であればよい。例えば、スピーカーが２つである場合、それぞれのスピーカーがＬ（レフト）、Ｒ（ライト）の２ｃｈ再生可能であり、図５（ａ）に示すように、これら２つのスピーカーを用いて、それぞれのスピーカーで、Ｌｃｈ、Ｒｃｈ再生を行っていたとする。すなわち、音声再生装置２のマイクロコンピューター２１は、無線モジュール２５を介して、２つのスピーカーの一方にＬｃｈの音声信号を送信し、２つのスピーカーの他方にＲｃｈの音声信号を送信する。ここで、いずれか一方のスピーカーの残量がなくなった（所定値以下になった）とする。この場合、図５（ｂ）に示すように、他方のスピーカーで、Ｌｃｈ、Ｒｃｈの２ｃｈ再生するようになっていてもよい。すなわち、マイクロコンピューター２１は、無線モジュール２５を介して、２つのスピーカーの他方にＬｃｈ、Ｒｃｈの音声信号を送信する。これにより、１つのスピーカーで２ｃｈの音声再生を継続することができる。
【００３９】
また、以下のようにしてもよい。音声再生装置２のマイクロコンピューター２１は、無線モジュール２５を介して、２つのスピーカーの一方にＬｃｈ、及び、Ｒｃｈの音声信号を送信する。２つのスピーカーの一方のマイクロコンピューターは、無線モジュールを介して、Ｌｃｈ、及び、Ｒｃｈの音声信号を受信し、２つのスピーカーの他方にレフトチャンネル、又は、ライトチャンネルの前記音声信号を送信する。ここで、２つのスピーカーの一方のマイクロコンピューターは、２つのスピーカーの他方に送信していないチャンネルの音声信号を再生する。２つのスピーカーの他方のマイクロコンピューターは、無線モジュールを介して、Ｌｃｈ、又は、Ｒｃｈの音声信号を受信する。２つのスピーカーの他方のマイクロコンピューターは、受信したＬｃｈ、又は、Ｒｃｈの音声信号を再生する。すなわち、２つのそれぞれのスピーカーで、Ｌｃｈ、Ｒｃｈ再生を行う。
【００４０】
２つのスピーカーの一方のマイクロコンピューターは、無線モジュールを介して、Ｌｃｈ、及び、Ｒｃｈの音声信号を受信しているときに、２つのスピーカーの他方が備えるバッテリーの残量がなくなった（所定値以下になった）場合に、２つのスピーカーの他方へのＬｃｈ、又は、Ｒｃｈの音声信号の送信を終了する。そして、２つのスピーカーの一方のマイクロコンピューターは、Ｌｃｈ、及び、Ｒｃｈの音声信号を再生する。これにより、１つのスピーカーで２ｃｈの音声再生を継続することができる。
【００４１】
また、マイクロコンピューター２１は、無線モジュール２５を介して、２つのスピーカーの一方にＬｃｈ、及び、Ｒｃｈの音声信号を送信しているときに、２つのスピーカーの一方が備えるバッテリーの残量がなくなった（所定値以下になった）場合に、２つのスピーカーの他方にＬｃｈ、及び、Ｒｃｈの音声信号を送信する。２つのスピーカーの他方のマイクロコンピューターは、無線モジュールを介して、Ｌｃｈ、及び、Ｒｃｈの音声信号を受信する。２つのスピーカーの他方のマイクロコンピューターは、Ｌｃｈ、及び、Ｒｃｈの音声信号を再生する。これにより、１つのスピーカーで２ｃｈの音声再生を継続することができる。
【００４２】
上述の実施形態においては、複数のスピーカーが異なる音声信号を受信するようになっている。これに限らず、複数のスピーカーが同じ音声信号を受信するようになっていてもよい。例えば、異なる部屋で同じ音声を再生するような場合（いわゆるパーティーモード）である。
【００４３】
上述の実施形態においては、音声再生装置として、ＡＶセンターを例示した。これに限らず、スマートフォン、タブレットＰＣ、デジタルオーディオプレーヤー（ＤＡＰ）、パーソナルコンピューター等であってもよい。
【産業上の利用可能性】
【００４４】
本発明は、音声再生装置と、複数のスピーカーと、が無線で通信する音声再生システムに好適に採用され得る。
【符号の説明】
【００４５】
１  音声再生システム
２  ＡＶセンター（音声再生装置）
２１  マイクロコンピューター（第１制御部）
２５  無線モジュール（第１無線通信部）
３〜９  スピーカー
３１〜９１  マイクロコンピューター（第２制御部）
３２〜９２  無線モジュール（第２無線通信部）
３５〜９５  バッテリー
【図１】
2018007191.tif 000003
【図２】
2018007191.tif 000004
【図３】
2018007191.tif 000005
【図４】
2018007191.tif 000006
【図５】
2018007191.tif 000007